(57)【要約】【課題】Ｘ線照射装置による意図しないＸ線照射の抑止を可能とする技術を提供する。【解決手段】被検体に向けてＸ線を照射するための照射装置と、該照射装置からの、前記被検体を透過したＸ線を受光してＸ線像を生成する受光装置とで構成されるＸ線撮像システムであって、前記受光装置は、被検体を特定する第１の識別子を、被検体を伝送路として携帯機器から受信する第１の受信手段と、を有し、前記照射装置は、被検体を識別するための第２の識別子を入力する入力手段と、前記受光装置が前記携帯機器から受信した前記第１の識別子と前記第２の識別子とが一致した場合にＸ線の照射を許可し、不一致である場合にＸ線の照射を不許可にする照射制御手段と、を有する。【選択図】図６
2014000221.tif 000002
【特許請求の範囲】
【請求項１】
被検体に向けてＸ線を照射するための照射装置と、該照射装置からの、前記被検体を透過したＸ線を受光してＸ線像を生成する受光装置とで構成されるＸ線撮像システムであって、
前記受光装置は、
被検体を特定する第１の識別子を、被検体を伝送路として携帯機器から受信する第１の受信手段
を有し、
前記照射装置は、
被検体を識別するための第２の識別子を入力する入力手段と、
前記受光装置が前記携帯機器から受信した前記第１の識別子と前記第２の識別子とが一致した場合にＸ線の照射を許可し、不一致である場合にＸ線の照射を不許可にする照射制御手段と、
を有することを特徴とするＸ線撮像システム。
【請求項２】
前記受光装置は、前記第１の受信手段により受信した前記第１の識別子を送信する第１の送信手段を有し、
前記照射装置は、
前記受光装置から送信された前記第１の識別子を受信する第２の受信手段と、
前記第２の受信手段により受信した前記第１の識別子と前記入力手段により入力された前記第２の識別子とを比較する第１の比較手段と、
を有し、
前記照射制御手段は、前記第１の比較手段による比較結果に応じて、Ｘ線照射の制御を行うことを特徴とする請求項１に記載のＸ線撮像システム。
【請求項３】
前記照射装置は、
前記入力手段により入力された前記第２の識別子を送信する第２の送信手段を有し、
前記受光装置は、
前記照射装置から送信された前記第２の識別子を受信する第３の受信手段と、
前記第３の受信手段により受信した前記第２の識別子と前記第１の受信手段により受信した前記第１の識別子とを比較する第２の比較手段と、
前記第１の識別子と前記第２の識別子とが一致した場合、前記照射装置によるＸ線の照射が許可され、かつ、前記第１の識別子と前記第２の識別子とが一致しない場合、前記照射装置によるＸ線の照射が不許可になるように、前記照射装置に所定の信号を送信する第３の送信手段と、
を有することを特徴とする請求項１又は２に記載のＸ線撮像システム。
【請求項４】
前記第３の送信手段は、前記第１の識別子と前記第２の識別子とが一致した場合、前記照射装置によるＸ線の照射を許可する信号を送信することを特徴とする請求項３に記載のＸ線撮像システム。
【請求項５】
前記第３の送信手段は、前記第１の識別子と前記第２の識別子とが一致しない場合、前記照射装置によるＸ線の照射を許可する信号を送信しないことを特徴とする請求項３又は４に記載のＸ線撮像システム。
【請求項６】
前記第３の送信手段は、前記第１の識別子と前記第２の識別子とが一致しない場合、前記照射装置によるＸ線の照射を許可しない信号を送信することを特徴とする請求項３又は４に記載のＸ線撮像システム。
【請求項７】
前記受光装置は、生成されたＸ線像を前記照射装置に送信する画像送信手段を更に有し、
前記照射装置は、前記Ｘ線像を受信する画像受信手段を更に有する、
ことを特徴とする請求項１乃至６の何れか一項に記載のＸ線撮像システム。
【請求項８】
前記照射装置は、Ｘ線を照射する照射機と、前記受光装置と無線通信するための無線装置とを有することを特徴とする請求項１乃至７の何れか１項に記載のＸ線撮像システム。
【請求項９】
請求項１乃至８の何れか１項に記載のＸ線撮像システムに用いられる前記受光装置。
【請求項１０】
請求項１乃至８の何れか１項に記載のＸ線撮像システムに用いられる前記照射装置。
【請求項１１】
被検体に向けてＸ線を照射するための照射装置と、該照射装置からの、前記被検体を透過したＸ線を受光してＸ線像を生成する受光装置とで構成されるＸ線撮像システムにおける前記受光装置であって、
被検体を特定する第１の識別子を、被検体を伝送路として携帯機器から受信する第１の受信手段と、
前記照射装置に入力された被検体を識別するための第２の識別子と前記第１の受信手段により受信した前記第１の識別子とが一致する場合、Ｘ線の照射が許可され、不一致である場合、Ｘ線の照射が不許可になるように、前記照射装置に所定の信号を送信する送信手段と、
を有することを特徴する受光装置。
【請求項１２】
前記送信手段は、前記照射装置が前記第１の識別子と前記第２の識別子とを比較できるように、前記所定の信号として前記第１の識別子を含む信号を送信することを特徴とする請求項１１に記載の受光装置。
【請求項１３】
前記照射装置から前記第２の識別子を受信する第２の受信手段を有し、
前記送信手段は、前記第１の識別子と前記第２の識別子との比較結果に応じて、前記照射装置に入力された被検体を識別するための第２の識別子と前記第１の受信手段により受信した前記第１の識別子とが一致する場合、Ｘ線の照射が許可され、不一致である場合、Ｘ線の照射が不許可になるように、前記照射装置に所定の信号を送信することを特徴とする請求項１２に記載の受光装置。
【請求項１４】
被検体に向けてＸ線を照射するための照射装置と、該照射装置からの、前記被検体を透過したＸ線を受光してＸ線像を生成し、被検体を特定する第１の識別子を携帯機器から被検体を伝送路として取得する受光装置とで構成されるＸ線撮像システムにおける前記照射装置であって、
被検体を識別するための第２の識別子を入力する入力手段と、
前記照射装置に入力された被検体を識別するための第２の識別子と前記受光装置が前記被検体を伝送路として取得した前記第１の識別子とが一致する場合、Ｘ線の照射が許可され、不一致である場合、Ｘ線の照射が不許可になるように、Ｘ線照射を制御する制御手段と、
を有することを特徴とする照射装置。
【請求項１５】
前記受光装置が送信した前記第１の識別子を受信する受信手段を有し、
前記制御手段は、前記第１の受信手段により受信した前記第１の識別子と前記第２の識別子との比較結果に応じて、前記前記第１の識別子と第２の識別子とが一致する場合、Ｘ線の照射が許可され、不一致である場合、Ｘ線の照射が不許可になるように、Ｘ線照射を制御することを特徴とする請求項１４記載の照射装置。
【請求項１６】
前記第２の識別子を送信する送信手段を有し、
前記制御手段は、前記受光装置による前記第１の識別子と前記第２の識別子との比較結果に応じて前記受光装置が送信した所定の信号に基づいて、前記前記第１の識別子と第２の識別子とが一致する場合、Ｘ線の照射が許可され、不一致である場合、Ｘ線の照射が不許可になるように、Ｘ線照射を制御することを特徴とする請求項１４記載の照射装置。
【請求項１７】
被検体に向けてＸ線を照射するための照射装置と、該照射装置からの、前記被検体を透過したＸ線を受光してＸ線像を生成する受光装置とで構成されるＸ線撮像システムにおける前記受光装置の制御方法であって、
被検体を特定する第１の識別子を、被検体を伝送路として携帯機器から受信する第１の受信工程と、
前記照射装置に入力された被検体を識別するための第２の識別子と前記第１の受信手段により受信した前記第１の識別子とが一致する場合、Ｘ線の照射が許可され、不一致である場合、Ｘ線の照射が不許可になるように、前記照射装置に所定の信号を送信する送信工程と、
を有することを特徴する受光装置の制御方法。
【請求項１８】
被検体に向けてＸ線を照射するための照射装置と、該照射装置からの、前記被検体を透過したＸ線を受光してＸ線像を生成し、被検体を特定する第１の識別子を携帯機器から被検体を伝送路として取得する受光装置とで構成されるＸ線撮像システムにおける前記照射装置の制御方法であって、
前記照射装置に入力された被検体を識別するための第２の識別子と前記受光装置が前記被検体を伝送路として取得した前記第１の識別子とが一致する場合、Ｘ線の照射が許可され、不一致である場合、Ｘ線の照射が不許可になるように、Ｘ線照射を制御することを特徴とする照射装置の制御方法。
【請求項１９】
請求項９、請求項１１乃至１３の何れか１項に記載の受光装置、または、請求項１０、請求項１４乃至１６の何れか１項に記載の照射装置としてコンピュータを機能させることを特徴とするプログラム。
【発明の詳細な説明】
【技術分野】
【０００１】
本発明は、Ｘ線撮像システム、受光装置及びその制御方法、照射装置及びその制御方法に関するものである。
【背景技術】
【０００２】
医療の分野において、これまでは、患者をＸ線撮像した画像をフィルムに保存していたものが、デジタル画像として保存することができるようになってきた。それは、フラットパネルディテクタ（Flat Panel Detector：ＦＰＤ）にて、デジタル信号に変換し、デジタル画像を形成するものであり、持ち運びが可能で、使用性がよいという特徴がある。また、Ｘ線撮像されたデジタル画像を、離れた場所にあるパーソナルコンピュータ（ＰＣ）に無線通信により送信可能なＦＰＤが提案されている。このようなＦＰＤを利用することにより、Ｘ線撮像されたデジタル画像を、撮像後すぐに確認することが出来る。
【０００３】
また、特許文献１のように、ＦＰＤ内に格納された画像データを、人体通信方式を利用して人体デバイスに保存する方法も提案されている。ただし、特許文献１の技術においては、人体デバイスに格納された画像データをＰＣに別途転送する必要があるため、撮像後すぐに画像を確認することはできない。
【先行技術文献】
【特許文献】
【０００４】
【特許文献１】特開２００５−１２４６１８号公報
【発明の概要】
【発明が解決しようとする課題】
【０００５】
しかしながら、上述の持ち運び可能なＦＰＤにおいては容易に移動が可能であるため、複数のＦＰＤを用いた運用を行う場合、本来使うべきＦＰＤとは異なる別のＦＰＤを利用して撮像してしまう可能性がある。たとえば、図１に示すように、本来使うべきＦＰＤ１０１をＸ線照射装置１０５のある部屋とは異なる隣の部屋に移動しており、他のＦＰＤ１０６がＸ線照射装置１０５と同じ部屋にある状況を考える。この場合、Ｘ線照射装置１０５は、ＦＰＤ１０６を利用した被検体１００の撮像を試みることになる結果、被検体１００に不要な被曝が発生することになる。このようなことを防ぐため、Ｘ線照射装置１０５の操作者は、利用しようとしているＦＰＤが本来使うべきＦＰＤであるか否かを別途確認する必要が生じていた。
【０００６】
本発明は上述の問題点に鑑みなされたものであり、意図しないＸ線照射の抑止を可能とする技術を提供することを目的とする。
【課題を解決するための手段】
【０００７】
上述の問題点を解決するため、本発明のＸ線撮像システムは以下の構成を備える。すなわち、被検体に向けてＸ線を照射するための照射装置と、該照射装置からの、前記被検体を透過したＸ線を受光してＸ線像を生成する受光装置とで構成されるＸ線撮像システムであって、前記受光装置は、被検体を特定する第１の識別子を、被検体を伝送路として携帯機器から受信する第１の受信手段と、を有し、前記照射装置は、被検体を識別するための第２の識別子を入力する入力手段と、前記受光装置が前記携帯機器から受信した前記第１の識別子と前記第２の識別子とが一致した場合にＸ線の照射を許可し、不一致である場合にＸ線の照射を不許可にする照射制御手段と、を有する。
【発明の効果】
【０００８】
本発明によれば、意図しないＸ線照射の抑止を可能とする技術を提供することができる。
【図面の簡単な説明】
【０００９】
【図１】従来のシステムにおける問題点を例示的に示す図である。
【図２】第１実施形態のシステムにおける全体構成図である。
【図３】Ｘ線照射装置の内部構成を示す図である。
【図４】ＦＰＤの内部構成を示す図である。
【図５】携帯通信機器の内部構成を示す図である。
【図６】第１実施形態のシステムにおけるシーケンス図である。
【図７】第１実施形態のシステムにおけるＸ線照射装置の動作フローチャートである。
【図８】第１実施形態のシステムにおけるＦＰＤの動作フローチャートである。
【図９】第１実施形態のシステムにおける携帯通信機器の動作フローチャートである。
【図１０】第２実施形態のシステムにおけるシーケンス図である。
【図１１】第２実施形態のシステムにおけるＸ線照射装置の動作フローチャートである。
【図１２】第２実施形態のシステムにおけるＦＰＤの動作フローチャートである。
【発明を実施するための形態】
【００１０】
以下に、図面を参照して、この発明の好適な実施の形態を詳しく説明する。なお、以下の実施の形態はあくまで例示であり、本発明の範囲を限定する趣旨のものではない。
【００１１】
（第１実施形態）
本発明に係るＸ線撮像システムの第１実施形態として、無線通信により照射制御を行うＸ線撮像システムを例に挙げて以下に説明する。
【００１２】
＜システム構成＞
図２は、第１実施形態のシステムにおける全体構成図である。Ｘ線撮像システムは、ＦＰＤ２０１、Ｘ線照射装置２０２及び携帯通信機器２０３（携帯機器）を含む。詳しくは後述するが、ＦＰＤ２０１とＸ線照射装置２０２との間では、無線ＬＡＮ規格に準じた無線通信を行うよう構成されている。また、ＦＰＤ２０１と携帯通信機器２０３との間では、被検体である患者の人体を介した人体通信を行うよう構成されている。
【００１３】
なお、人体通信においては、携帯通信機器２０３を携帯した患者がＦＰＤ２０１に接触した状態にある場合、つまり携帯通信機器２０３とＦＰＤ２０１とが通信媒体となる人体を介して接続されている場合に通信が可能になる。
【００１４】
図３は、Ｘ線照射装置の内部構成を示す図である。Ｘ線照射装置２０２は、無線通信を行うＡＰ２０４と、Ｘ線の照射を行うＸ線照射機２０５と、各種の制御を行うＰＣ２０６とを含む。ＡＰ２０４は、パケット送信部５０５とパケット受信部５０６と無線部５０７とを含む。例えば、ＡＰ２０４は無線ＬＡＮ（ＩＥＥＥ８０２．１１）規格のアクセスポイント（ＡＰ）として構成される。もちろん、他の規格を利用した無線通信を利用するよう構成してもよいし、アドホック通信の形態で構成してもよい。
【００１５】
パケット送信部５０５は、ＰＣ２０６の通信部５０１から受信したデータパケットを無線部５０７を介して無線送信すべく、当該データパケットを無線ＬＡＮ形式のデータパケットに変換して無線部５０７に送信する。一方、パケット受信部５０６（第２の受信手段）は、無線部５０７から受信した無線ＬＡＮ形式のデータパケットをイーサネット（登録商標）形式のデータパケットに変換してＰＣ２０６の通信部５０１に送信する。無線部５０７は、パケット送信部５０５からのデータパケットを空中に無線信号として送信すると共に、空中から受信した無線信号をデータパケットとしてパケット受信部５０６に送信する。
【００１６】
なお、ここでは、ＡＰ２０４とＰＣ２０６は、イーサネット（登録商標）規格のＬＡＮにより接続されることを想定して説明しているが、任意の接続形態で構わない。
【００１７】
Ｘ線照射機２０５は、ＰＣ２０６のＸ線照射処理部５０２から照射信号を受信するとＸ線照射を実行する。照射信号が止まるとＸ線照射を停止する。
【００１８】
ＰＣ２０６は、ＣＰＵ５００、通信部５０１、Ｘ線照射処理部５０２、メモリ５０３、識別子比較部５０４を含む。ＣＰＵ５００は、後述の照射要求信号を生成し通信部５０１を介して送信する処理、タイマ（計時）処理、後述の応答信号を通信部５０１を介して受信する処理などを行う。また、識別子のメモリ５０３への保存処理、Ｘ線照射を指示する照射信号の出力をＸ線照射処理部５０２に指示する処理、識別子の比較を識別子比較部５０４へ指示する処理なども行う。
【００１９】
通信部５０１は、ＣＰＵ５００からのデータ送受信指示に基づきＡＰ２０４との通信を行う。Ｘ線照射処理部５０２は、ＣＰＵ５００からの指示に基づき、Ｘ線照射機２０５への照射信号の出力を制御する。メモリ５０３は、後述する第２の識別子（ＩＤ２）の格納を行うほか、ＣＰＵ５００により使用されるプログラムやデータの格納を行う。識別子比較部５０４（第１の比較手段）は、２つの識別子の比較を行い、一致しているか否かを判定する。
【００２０】
なお、上述の説明においては、Ｘ線照射処理部５０２及び識別子比較部５０４をＣＰＵ５００とは別体のものとして記載しているが、Ｘ線照射処理部５０２及び識別子比較部５０４をＣＰＵ５００により実現しても良い。
【００２１】
図４は、ＦＰＤの内部構成を示す図である。ＦＰＤ２０１は、ＣＰＵ６００、人体通信部６０１、メモリ６０２、Ｘ線受光部６０４、パケット送信部６０５、パケット受信部６０６、無線部６０７を含む。なお、図４には識別子比較部６０３も記載されているが、第１実施形態では利用しない。
【００２２】
ＣＰＵ６００は、後述の応答信号を生成しパケット送信部６０５及び無線部６０７を介して送信する処理、タイマ（計時）処理、後述の照射要求信号を無線部６０７及びパケット受信部６０６を介して受信する処理などを行う。また、人体通信部６０１より受信された識別子のメモリ６０２への保存、Ｘ線受光部６０４で生成された画像データの処理なども行う。
【００２３】
人体通信部６０１は、識別子（情報）を人体通信を介して受信する（第１の受信手段）。メモリ６０２は、後述する識別子の記憶を行うほか、ＣＰＵ６００により使用されるプログラムやデータの格納を行う。Ｘ線受光部６０４は、被検体を透過したＸ線（透過Ｘ線）を検出してＸ線像（画像データ）を生成する。生成された画像データは例えばメモリ６０２に一時的に格納される。
【００２４】
パケット送信部６０５は、ＣＰＵ６００から受信したデータを無線部６０７を介して無線送信すべく、当該データを無線ＬＡＮ形式のデータパケットに格納して無線部６０７に送信する（第１の送信手段）。一方、パケット受信部６０６は、無線部６０７から受信した無線ＬＡＮ形式のデータパケットからデータを抽出しＣＰＵ６００に送信する。無線部６０７は、パケット送信部６０５からのデータパケットを空中に無線信号として送信すると共に、空中から受信した無線信号をデータパケットとしてパケット受信部６０６に送信する。
【００２５】
図５は、携帯通信機器の内部構成を示す図である。携帯通信機器２０３は、ＣＰＵ７００、人体通信部７０１、メモリ７０２を含む。ＣＰＵ７００は、人体通信部７０１を介した識別子の送信指示の処理などを行う。人体通信部７０１は、被検体を伝送路とした人体通信を介して識別子（情報）を送信する。メモリ７０２は、後述する第１の識別子（ＩＤ１）の記憶を行うほか、ＣＰＵ７００により使用されるプログラムやデータの格納を行う。
【００２６】
＜システム内の各装置の動作＞
以下では、第１実施形態のシステムにより被検体２００のＸ線撮像を行う際の、各機器間の動作の概要、及び各機器間のデータの流れを図６を参照して説明する。
【００２７】
図６は、第１実施形態のシステムにおける各機器の動作シーケンスを示す図である。
【００２８】
ステップＳ４００では、Ｘ線照射装置２０２は、Ｘ線像を撮像する予定の被検体（患者）を識別するための識別子として第２の識別子を記憶する。以下ではこのＩＤをＩＤ２と呼ぶ。
【００２９】
ステップＳ４０１では、ＦＰＤ２０１は、人体通信機能を利用して、被検体２００が携帯する（例えば検診衣や手首バンドに取りつけられている）携帯通信機器２０３のメモリ７０２に格納されたＩＤを取得する。以下ではこのＩＤをＩＤ１と呼ぶ。そして、ステップＳ４０２では、ＦＰＤ２０１は、取得したＩＤ１をメモリ６０２に格納する。
【００３０】
なお、ステップＳ４０１でのＩＤの取得方法として、携帯通信機器２０３より一定時間毎に送信されてくるＩＤを取得するよう構成しても良いし、ＦＰＤ２０１から取得要求を送信しその応答として送信されてくるＩＤを取得するよう構成しても良い。なお、上述したようにステップＳ４０１及びＳ４０２は、携帯通信機器２０３を携帯した被検体２００がＦＰＤ２０１に接触した状態にある場合に実行される。そして、詳しくは後述するが、Ｘ線照射装置２０２によるＸ線照射が正常になされるためには後述のステップＳ４０４より前に実行される必要がある。
【００３１】
ステップＳ４０３では、Ｘ線照射装置２０２は、ユーザからの照射指示をトリガに、照射要求信号をＦＰＤ２０１に送信する。そして、当該照射要求信号に対応する応答信号の受信の待ち受けを開始する。なお、ＦＰＤ２０１以外のＦＰＤも当該照射要求信号を受信可能となるように、当該照射要求信号をブロードキャストメッセージとして送信しても良い。なお、詳しくは後述するが、Ｘ線照射装置２０２は、照射要求信号を送信後、対応する応答信号が所定時間内に受信出来ない場合は、タイムアウトとし、Ｘ線照射を中止する。このタイムアウト値は、たとえば、３秒などである。
【００３２】
ステップＳ４０４では、ＦＰＤ２０１は、照射要求信号の受信をトリガに、あらかじめ携帯通信機器２０３から取得した識別子（ＩＤ１）を付加した応答信号をＸ線照射装置２０２に送信する。そして、Ｘ線照射の待ち受けを開始する。
【００３３】
ステップＳ４０５では、Ｘ線照射装置２０２は、応答信号を受信すると、メモリ５０３に格納されている識別子（ＩＤ２）と、受信した応答信号に付加された識別子（ＩＤ１）とが一致するか否かを判定する。なお、Ｘ線照射装置２０２が照射要求信号をブロードキャストメッセージとして送信した場合は、複数の応答信号が返ってくる可能性があるが、その場合は複数の応答信号の各々に付加された識別子に対して順次比較を行う。
【００３４】
ステップＳ４０６では、Ｘ線照射装置２０２は、識別子（ＩＤ２）と識別子（ＩＤ１）とが一致していると判定した場合はＸ線照射を行い、一致していないと判定した場合はＸ線照射を中止する。すなわち、２つの識別子の比較結果に応じてＸ線照射を制御する。
【００３５】
ステップＳ４０７では、ＦＰＤ２０１は、Ｘ線照射により得られた画像データをＸ線照射装置２０２に送信する（画像送信手段）。そして、Ｘ線照射装置２０２は送信された画像データを受信（画像受信手段）する。
【００３６】
このようにして、Ｘ線照射装置２０２は、Ｘ線照射後速やかに、Ｘ線撮像されたデジタル画像をＦＰＤ２０１から受信することが出来、デジタル画像を確認することが出来る。
【００３７】
以下では、第１実施形態のシステムに含まれる各機器の動作フローを図７〜図９を参照して説明する。
【００３８】
図７は、第１実施形態のシステムにおけるＸ線照射装置の動作フローチャートである。なお、以下で説明する、識別子（ＩＤ２）の格納処理及びＸ線照射の制御処理は並行して実行される。
【００３９】
ステップＳ９００では、ＰＣ２０６は、例えば不図示の他の装置又はユーザ操作により識別子の入力を受け付けたか否かを判定する。受け付けたと判定した場合は、ステップＳ９０１に進み、受信した識別子をＩＤ２としてメモリ５０３に保存する。受け付けていないと判定した場合は、引き続き受け付けを待ち受ける。
【００４０】
ステップＳ９０２では、ＰＣ２０６は、ユーザからＸ線の照射指示を受け付けたか否かを判定する。照射指示を受け付けたと判定した場合は、ステップＳ９０３にてタイマ（たとえば３秒）で開始すると共にステップＳ９０４にて照射要求信号をＦＰＤ２０１に送信する。
【００４１】
ステップＳ９０５では、ＰＣ２０６は、Ｓ９０３で開始したタイマの満了前に、無線通信を介してＦＰＤ２０１から応答信号を受信したか否かを判定する。応答信号を受信したと判定した場合はステップＳ９０６に進む。一方、応答信号を受信しなかったと判定した場合は、ステップＳ９０８へ進みＸ線照射を中止する。
【００４２】
ステップＳ９０６では、ＰＣ２０６は、受信した応答信号に付加されている識別子（ＩＤ１）とメモリ５０３に格納されている識別子（ＩＤ２）とが一致するか否かを判定する。一致していると判定した場合は、ステップＳ９０７に進みＸ線照射を実行する。一方、一致してない（不一致）と判定した場合は、意図しないＦＰＤと通信していると判断し、ステップＳ９０８へ進みＸ線照射を中止（不許可）する。すなわち、２つの識別子の比較結果に応じてＸ線照射を制御する。
【００４３】
図８は、第１実施形態のシステムにおけるＦＰＤの動作フローチャートである。なお、以下で説明する、携帯通信機器２０３からの識別子（ＩＤ１）の受信処理及びＸ線照射に係る制御処理は並行して実行される。
【００４４】
ステップＳ１０００では、ＦＰＤ２０１は、人体通信機能を介して携帯通信機器２０３から識別子を受信したか否かを判定する。受信したと判定した場合は、ステップＳ１００１に進み、受信した識別子をＩＤ１としてメモリ６０２に保存する。受信していないと判定した場合は、引き続き受信を待ち受ける。
【００４５】
ステップＳ１００２では、ＦＰＤ２０１は、無線通信を介してＸ線照射装置２０２から照射要求信号を受信したか否かを判定する。照射要求信号を受信したと判定した場合はステップＳ１００３に進む。一方、照射要求信号を受信しなかったと判定した場合は、引き続き受信を待ち受ける。
【００４６】
ステップＳ１００３では、ＦＰＤ２０１は、メモリ６０２に格納されている識別子（ＩＤ１）を付加した応答信号をＸ線照射装置２０２へと送信する。そして、ステップＳ１００４では、Ｘ線照射を待ち受ける受光状態に移行する。
【００４７】
ステップＳ１００５では、ＦＰＤ２０１は、Ｘ線を受光してデジタル画像を生成しメモリ６０２に格納する。そして、無線通信を介して生成したデジタル画像をＸ線照射装置２０２へ送信する。なお、Ｘ線照射毎にデジタル画像を送信せず、後でまとめて送信する場合には、ＦＰＤ２０１は、当該デジタル画像に対応する識別子（この場合ＩＤ１＝ＩＤ２）と関連付けてデジタル画像をメモリ６０２に格納しておくと良い。
【００４８】
図９は、第１実施形態のシステムにおける携帯通信機器の動作フローチャートである。なお、メモリ７０２には、予め、被検体を特定する識別子として第１の識別子（ＩＤ１）が格納されている。そして、携帯通信機器２０３を、ＩＤ１に関連する被検体に携帯（例えば検診衣や手首バンドに取りつけられている）させているものとする。
【００４９】
ステップＳ１１００では、携帯通信機器２０３は、メモリ７０２に記憶された識別子（ここではＩＤ１）をＦＰＤ２０１に送信する。そして、ステップＳ１１０１では、一定時間（例えば１０秒間）休止し、その後、Ｓ１１００に戻る。つまり、ここでは、一定時間毎に識別子の送信処理を行うことを想定するが、ＦＰＤ２０１からの取得要求に応じて送信するよう構成しても良い。なお、上述したように、人体通信においては、携帯通信機器２０３を携帯した患者がＦＰＤ２０１に接触した状態にある場合に通信が可能になる。
【００５０】
この構成により、被検体である患者がＦＰＤと物理的に接触することにより、当該被検体に関連付けられた識別子が接触したＦＰＤのメモリに格納されることになる。そして、患者が接触しているＦＰＤが、照射対象を意図するＦＰＤであれば、照射が実行され、照射対象を意図しないＦＰＤであれば照射は自動的に抑止されることになる。
【００５１】
つまり、医者などの操作者も、当該患者が、撮像対象の患者であることを確認しさえすればよい。そして、被検体である患者は、携帯通信機器２０３を携帯し、Ｘ線照射に先だってＦＰＤに接触するだけで良い。
【００５２】
以上説明したとおり第１実施形態によれば、Ｘ線照射装置は、被検体である患者に関連するＩＤに基づきＦＰＤを認証することが可能となり、意図しないＸ線照射を抑止することが可能となる。
【００５３】
なお、上述の説明では、被検体を特定する第１の識別子（ＩＤ１）を携帯通信機器のメモリに格納し、当該ＩＤ１をＦＰＤに送信し、ＦＰＤがＸ線照射装置２０２に当該ＩＤ１を送信する構成について説明した。しかし、ＩＤ１として、携帯通信機器に割り当てられた固有のＩＤを利用するよう構成にしてもよい。その場合は、予め、ＩＤ１と当該機器に固有のＩＤとをＸ線照射装置２０２のＰＣ２０６で関連付けて管理するよう構成するとよい。
【００５４】
さらに、上述の説明においては、携帯通信機器からＦＰＤへの識別子の送信を人体通信により行う例について説明を行ったが、ＲＦＩＤや近距離無線通信（ＮＦＣ）などの通信規格を用いて送信を行っても良い。その場合、被検体である患者は、Ｘ線照射に先だってＦＰＤに配置された読み取り部に携帯通信機器２０３をかざすことにより上述と同様のフローが実現されることになる。
【００５５】
（第２実施形態）
第２実施形態では、ＦＰＤ２０１においてＩＤ比較を行う構成について以下に説明する。すなわち、第１実施形態のシステムでは、Ｘ線照射を許可するか否かを判定するＩＤ比較をＸ線照射装置２０２で行っていたが、第２実施形態のシステムではＦＰＤ２０１で行う点が異なる。
【００５６】
＜システム構成＞
第２実施形態にかかるシステムの全体構成、及び携帯通信機器２０３の構成は第１実施形態と同様である。一方、第２実施形態のシステムにおいては、ＦＰＤ２０１は、第１実施形態で説明した構成に加えて、識別子比較部６０３（第２の比較手段）を有する。識別子比較部６０３は、２つの識別子が一致するか否かを判定するものである。また、第２実施形態のシステムにおいてはＸ線照射装置２０２内の識別子比較部５０４は使用されない。
【００５７】
＜システム内の各装置の動作＞
以下では、第２実施形態のシステムにより被検体２００のＸ線撮像を行う際の、各機器間の動作の概要、及び各機器間のデータの流れを図１０を参照して説明する。
【００５８】
図１０は、第２実施形態のシステムにおける各機器の動作シーケンスを示す図である。
【００５９】
ステップＳ８００では、Ｘ線照射装置２０２は、Ｘ線像を撮像する予定の被検体（患者）を識別するための識別子として第２の識別子を記憶する。以下ではこのＩＤをＩＤ２と呼ぶ。
【００６０】
ステップＳ８０１では、ＦＰＤ２０１は、人体通信機能を利用して、被検体２００が携帯する（例えば検診衣や手首バンドに取りつけられている）携帯通信機器２０３のメモリ７０２に格納されたＩＤを取得する。以下ではこのＩＤをＩＤ１と呼ぶ。そして、ステップＳ８０２では、ＦＰＤ２０１は、取得したＩＤ１をメモリ６０２に格納する。
【００６１】
なお、ステップＳ８０１でのＩＤの取得方法として、携帯通信機器２０３より一定時間毎に送信されてくるＩＤを取得するよう構成しても良いし、ＦＰＤ２０１から取得要求を送信しその応答として送信されてくるＩＤを取得するよう構成しても良い。なお、上述したようにステップＳ８０１及びＳ８０２は、携帯通信機器２０３を携帯した被検体２００がＦＰＤ２０１に接触した状態にある場合に実行される。そして、詳しくは後述するが、Ｘ線照射装置２０２によるＸ線照射が正常になされるためには後述のステップＳ８０４より前に実行される必要がある。
【００６２】
ステップＳ８０３では、Ｘ線照射装置２０２は、ユーザからの照射指示をトリガに、識別子（ＩＤ２）を付加した照射要求信号をＦＰＤ２０１に送信する（第２の送信手段）。そして、当該照射要求信号に対応する応答信号の受信の待ち受けを開始する。なお、ＦＰＤ２０１以外のＦＰＤも当該照射要求信号を受信可能となるように、当該照射要求信号をブロードキャストメッセージとして送信しても良い。なお、詳しくは後述するが、Ｘ線照射装置２０２は、照射要求信号を送信後、対応する応答信号が所定時間内に受信出来ない場合は、タイムアウトとし、Ｘ線照射を中止する。このタイムアウト値は、たとえば、３秒などである。
【００６３】
ステップＳ８０４では、ＦＰＤ２０１は、照射要求信号の受信（第３の受信手段）をトリガに、あらかじめ携帯通信機器２０３から取得した識別子（ＩＤ１）と、受信した照射要求信号に付加された識別子（ＩＤ２）とが一致するか否かを判定する。
【００６４】
ステップＳ８０５では、ＦＰＤ２０１は、識別子（ＩＤ１）と識別子（ＩＤ２）とが一致していると判定した場合は、応答信号をＸ線照射装置２０２に送信する（第３の送信手段）。そして、Ｘ線照射の待ち受けを開始する。一方、一致していないと判定した場合は応答信号を送信しない。なお、一致していないと判定した場合に、一致していない（認証失敗）ことを示す結果を付加した応答信号を送信するよう構成しても良い。
【００６５】
ステップＳ８０６では、Ｘ線照射装置２０２は、（認証成功を示す）応答信号を受信した場合はＸ線照射を行い、応答信号を受信しなかった（あるいは、認証失敗を示す応答信号を受信した）場合はＸ線照射を中止する。
【００６６】
ステップＳ８０７では、ＦＰＤ２０１は、Ｘ線照射により得られた画像データをＸ線照射装置２０２に送信する。
【００６７】
このようにして、Ｘ線照射装置２０２は、Ｘ線照射後速やかに、Ｘ線撮像されたデジタル画像をＦＰＤ２０１から受信することが出来、デジタル画像を確認することが出来る。
【００６８】
以下では、第２実施形態のシステムに含まれる各機器の動作フローを図１１及び図１２を参照して説明する。なお、携帯通信機器の動作は第１実施形態と同様であるため説明は省略する。
【００６９】
図１１は、第２実施形態のシステムにおけるＸ線照射装置の動作フローチャートである。なお、以下で説明する、識別子（ＩＤ２）の格納処理及びＸ線照射の制御処理は並行して実行される。なお、第２実施形態では、ステップＳ１２０５〜Ｓ１２０６のみが第１実施形態と異なる。つまり、ステップＳ１２００〜Ｓ１２０４及びＳ１２０７〜Ｓ１２０８は、それぞれ、ステップＳ９００〜Ｓ９０４及びＳ９０７〜Ｓ９０８と同様である。
【００７０】
ステップＳ１２０５では、ＰＣ２０６は、Ｓ１２０３で開始したタイマの満了前に、無線通信を介してＦＰＤ２０１から応答信号を受信したか否かを判定する。応答信号を受信したと判定した場合はステップＳ１２０６に進む。一方、応答信号を受信しなかったと判定した場合は、ステップＳ１２０８へ進みＸ線照射を中止する。
【００７１】
ステップＳ１２０６では、ＰＣ２０６は、受信した応答信号が、認証成功を示すものであるか認証失敗を示すものであるかを判定する。認証成功を示すものであると判定した場合は、ステップＳ１２０７に進みＸ線照射を実行する。一方、認証失敗を示すものであると判定した場合は、意図しないＦＰＤと通信していると判断し、ステップＳ１２０８へ進みＸ線照射を中止する。
【００７２】
図１２は、第２実施形態のシステムにおけるＦＰＤの動作フローチャートである。なお、以下で説明する、携帯通信機器２０３からの識別子（ＩＤ１）の受信処理及びＸ線照射に係る制御処理は並行して実行される。なお、第２実施形態では、ステップＳ１３０３〜Ｓ１３０５のみが第１実施形態と異なる。つまり、ステップＳ１３００〜Ｓ１３０２及びＳ１３０６〜Ｓ１３０７は、それぞれ、ステップＳ１０００〜Ｓ１００２及びＳ１００４〜Ｓ１００５と同様である。
【００７３】
ステップＳ１３０３では、ＦＰＤ２０１は、メモリ６０２に格納されている識別子（ＩＤ１）と、受信した照射要求信号に付加された識別子（ＩＤ２）とが一致するか否かを判定する。一致していると判定した場合は、ステップＳ１３０５に進む。一方、一致していないと判定した場合はステップＳ１３０４に進む。
【００７４】
ステップＳ１３０４では、ＦＰＤ２０１は、認証失敗を示す応答信号（不許可信号）をＸ線照射装置２０２へと送信し（あるいは応答信号を送信すること無く）、Ｓ１３０２に戻る。一方、ステップＳ１３０５では、ＦＰＤ２０１は、認証成功を示す応答信号（許可信号）をＸ線照射装置２０２へと送信する。
【００７５】
この構成により、第１実施形態と同様、被検体である患者がＦＰＤと物理的に接触することにより、当該被検体に関連付けられた識別子が接触したＦＰＤのメモリに格納されることになる。そして、患者が接触しているＦＰＤが、照射対象を意図するＦＰＤであれば、照射が実行され、照射対象を意図しないＦＰＤであれば照射は自動的に抑止されることになる。
【００７６】
以上説明したとおり第２実施形態によれば、ＦＰＤは、被検体である患者に関連するＩＤに基づきＸ線照射装置を認証することが可能となり、意図しないＸ線照射を抑止することが可能となる。
【００７７】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014000221.tif 000003
【図２】
2014000221.tif 000004
【図３】
2014000221.tif 000005
【図４】
2014000221.tif 000006
【図５】
2014000221.tif 000007
【図６】
2014000221.tif 000008
【図７】
2014000221.tif 000009
【図８】
2014000221.tif 000010
【図９】
2014000221.tif 000011
【図１０】
2014000221.tif 000012
【図１１】
2014000221.tif 000013
【図１２】
2014000221.tif 000014